(57)【要約】【課題】光伝送モジュールに光伝送用プラグが接続されている場合、光伝送用プラグから出ている光ファイバに何らかの張力が加わった際、光伝送モジュールの光結合部に応力が加わり、光伝送特性を悪化させる。【解決手段】自由に移動可能な通信モジュールをケースに備えた光伝送モジュールは、光伝送プラグが接続された後に光ケーブルへ張力が発生した際に、光結合面および光軸中心が追従することにより、常に安定した光伝送が可能となる。【選択図】図１４
2007163739.tif 000002
【特許請求の範囲】
【請求項１】
電気信号を光信号へ変換または光信号を電気信号へ変換する通信モジュール部と、該通信モジュールを可動に保持し、前記通信モジュールと接続する光プラグを位置決めするフック部を有するケースとからなる光伝送モジュールであって、
前記通信モジュール部に光プラグを接続したとき、前記フック部と前記通信モジュール部の光結合面との光軸方向の距離は、予め定めた範囲にあることを特徴とする光伝送モジュール。
【請求項２】
請求項１に記載の光伝送モジュールであって、
前記距離は、６．９ないし７．１ｍｍの範囲にあることを特徴とする光伝送モジュール。
【請求項３】
請求項１に記載の光伝送モジュールであって、
前記距離は、９．９ないし１０．０ｍｍの範囲にあることを特徴とする光伝送モジュール。
【請求項４】
電気信号を光信号へ変換または光信号を電気信号へ変換する通信モジュール部と、該通信モジュールを保持するケースとからなる光伝送モジュールであって、
前記通信モジュール部に光プラグを接続し、前記光プラグに張力を加えたとき、前記通信モジュールは前記光プラグとの光結合を維持して、移動することを特徴とする光伝送モジュール。
【請求項５】
請求項４に記載の光伝送モジュールであって、
前記通信モジュールの移動方向は、光軸に平行で前記光プラグ方向であることを特徴とする光伝送モジュール。
【請求項６】
電気信号を光信号へ変換または光信号を電気信号へ変換する通信モジュール部と、該通信モジュールを保持するケースとからなる光伝送モジュールであって、
前記通信モジュール部に光プラグを接続し、前記光プラグに応力を加えたとき、前記通信モジュールは前記光プラグとの光結合を維持して、移動することを特徴とする光伝送モジュール。
【請求項７】
請求項６に記載の光伝送モジュールであって、
前記通信モジュールの移動方向は、光軸に垂直な面より、前記コネクタ方向であることを特徴とする光伝送モジュール。
【請求項８】
電気信号を光信号へ変換または光信号を電気信号へ変換する通信モジュール部と、該通信モジュールを可動に保持するケースとからなる光伝送モジュールであって、
前記通信モジュール部に光プラグを接続したとき、前記通信モジュールは前記光プラグによって位置決めされることを特徴とする光伝送モジュール。
【請求項９】
請求項８に記載の光伝送モジュールであって、
前記光プラグはＳＣコネクタであることを特徴とする光伝送モジュール。
【請求項１０】
請求項８に記載の光伝送モジュールであって、
前記光プラグはＬＣコネクタであることを特徴とする光伝送モジュール。
【請求項１１】
請求項１ないし請求項１０のいずれか一つに記載の光伝送モジュールであって、
前記通信モジュールは光送信モジュールであることと特徴とする光伝送モジュール。
【請求項１２】
請求項１ないし請求項１０のいずれか一つに記載の光伝送モジュールであって、
前記通信モジュールは光受信モジュールであることと特徴とする光伝送モジュール。
【発明の詳細な説明】
【技術分野】
【０００１】
本発明は光伝送モジュールに係り、特に、光送信モジュールまたは光受信モジュールを備えたレセプタクル型光伝送モジュールに関する。
【背景技術】
【０００２】
レセプタクル型光伝送モジュールは、発光素子または受光素子を格納、封止した同軸キャンパッケージまたはボックス型パッケージと、電子部品を実装した回路基板（発光素子あるいは受光素子の周辺回路や通信制御回路）が１つのケースに格納された構造である。レセプタクル型光伝送モジュールは、更に同軸キャンパッケージまたはボックス型パッケージに対して外部から光伝送用プラグを接続するためのレセプタクル型の光コネクタがケースと一体構造となっている。また、同軸キャンパッケージまたはボックス型パッケージの光送信モジュールまたは光受信モジュールは、ケースに対して固定されている。このようなレセプタクル型光伝送モジュールは、特許文献１ないし３に記載がある。ここで、特許文献１は、特許文献２および３の対応米国特許文献である。
【０００３】
特許文献４および特許文献５には、可動フェルールを備えた光半導体モジュールが記載されている。また、特許文献６ないし９にはフックの構造に特徴のある光コネクタが記載されている。
なお、本明細書において、光送信モジュールおよび光受信モジュールを総称して、光通信モジュールという。
【０００４】
図１は光通信モジュールを格納した光伝送モジュールケースの部分断面図である。図１において、光通信モジュール３００は、光伝送モジュールの外部から光伝送用プラグを接続するためのレセプタクル部５を備えた光伝送モジュールケース１５に格納されている。光通信モジュール３００の内部には、光伝送モジュールの外部から接続される光伝送用プラグのフェルール先端部と光結合するための光結合面７００が備えられている。ＳＣコネクタ用のレセプタクルの場合、光伝送モジュールケース１５は、ＳＣコネクタ保持するためのフック部１５ａをもっている。このフック部１５ａの内側位置を機械的基準面という。また、光伝送用プラグと光通信モジュール３００が接続され、光結合かつ光伝送可能となる光結合面を光学的基準面という。機械的基準面と光学的基準面の距離は７±０.１ｍｍであり、この距離をＥ寸法と呼ぶ。なお、図の簡便のため図１には、光伝送用プラグを記載していないが、真のＥ寸法は光伝送モジュールに光伝送用プラグを挿入したときの、フックの内側位置と光通信モジュールの光結合面の距離である。これは、本明細書において共通である。
【０００５】
図２は光通信モジュールとフック部を格納した光伝送モジュールケースの部分断面図である。図２において、光通信モジュール３００は、光伝送モジュールの外部から光伝送用プラグを接続するためのレセプタクル部５と光伝送用プラグを保持するフック部３０と共に、光伝送モジュールケース１６に格納されている。図２の光伝送モジュールと、図１の光伝送モジュールとの違いは、フック部が光伝送モジュールケースと別体か、一体かであり、寸法関係は同一である。
【０００６】
図３はＬＣコネクタ用の光通信モジュールを格納した光伝送モジュールケースの部分断面図である。図３においてＬＣコネクタ型の光通信モジュール３５０は、光伝送モジュールの外部から光伝送用プラグを接続するためのレセプタクル部７を備えた光伝送モジュールケース１７に格納されている。光通信モジュール３５０の内部には、光伝送モジュールの外部から接続される光伝送用プラグのフェルール先端部と光結合するための光結合面７５０が備えられている。ＬＣコネクタの場合、光伝送用プラグを保持するためのフック機構をもっているが、保持されたフック機構の位置を機械的基準面という。また、光伝送用プラグと光通信モジュール３５０が接続され、光結合かつ光伝送可能となる光結合面を光学的基準面という。機械的基準面と光学的基準面の距離は９.９５±０.０５ｍｍであり、この距離をＢ寸法と呼ぶ。
【０００７】
【特許文献１】米国特許６０７１０１６号明細書
【特許文献２】特開平１０−２４７７４０号公報
【特許文献３】特開平１０−２４７７４２号公報
【特許文献４】特開平１０−２４６８３９号公報
【特許文献５】特開平１１−３３７７７０号公報
【特許文献６】特開２００５−３０９０２８号公報
【特許文献７】特開平１０＾１７０７５９号公報
【特許文献８】特開平１０−１６０９６６号公報
【特許文献９】特開平１０−１７０７６３号公報
【発明の開示】
【発明が解決しようとする課題】
【０００８】
上記特許文献１ないし３に記載された光送信モジュールまたは光受信モジュールは、光伝送モジュールのケースに固定されている。また、光伝送モジュールと接続された光伝送用プラグは後方に光ファイバを有する。光伝送モジュールを搭載した装置において、多数の光ファイバを束線するために、光ファイバに張力が加わることがある。この張力により、光伝送用プラグのフェルールに応力が加わり、光の結合を阻害、あるいは光送信モジュールまたは光受信モジュールの破損を引き起こす虞がある。
【０００９】
本発明の目的は、外部からの光ファイバへの張力の影響を低減し、光送信モジュールまたは光受信モジュールの光の結合を維持するレセプタクル型光伝送モジュールを提供することである。
【課題を解決するための手段】
【００１０】
上述した課題は、電気信号を光信号へ変換または光信号を電気信号へ変換する通信モジュール部と、通信モジュールを可動に保持し、通信モジュールと接続する光プラグを位置決めするフック部を有するケースとからなり、通信モジュール部に光プラグを接続したとき、フック部と通信モジュール部の光結合面との光軸方向の距離は、予め定めた範囲にある光伝送モジュールにより達成される。
【００１１】
また、電気信号を光信号へ変換または光信号を電気信号へ変換する通信モジュール部と、通信モジュールを保持するケースとからなり、通信モジュール部に光プラグを接続し、光プラグに応力を加えたとき、通信モジュールは光プラグとの光結合を維持して、移動する光伝送モジュールにより達成される。
【００１２】
さらに、電気信号を光信号へ変換または光信号を電気信号へ変換する通信モジュール部と、通信モジュールを可動に保持するケースとからなり、通信モジュール部に光プラグを接続したとき、通信モジュールは光プラグによって位置決めされる光伝送モジュールにより達成される。
【発明の効果】
【００１３】
本発明に拠れば、外部からの光ファイバへの張力の影響を低減し、光送信モジュールまたは光受信モジュールの光の結合を維持するレセプタクル型光伝送モジュールを提供することができる。
【発明を実施するための最良の形態】
【００１４】
以下、本発明の実施の形態について、実施例を用いて図を参照しながら説明する。なお、同一部分には同じ参照番号を振り、説明は繰り返さない。
【実施例１】
【００１５】
図４は光伝送モジュールの構成を説明する斜視図である。図４において、光伝送モジュール１０００は、光送信モジュール１００と、光受信モジュール２００と、それぞれのモジュール１００、２００の制御回路を実装したプリント基板５０と、光伝送モジュール１０００の外部から図示しない光伝送用プラグを接続するためのレセプタクル部５と、光伝送プラグを保持するフック部３０とを上ケース１０と下ケース２０との間に格納することによって構成される。
【００１６】
図５は光軸方向に移動可能な光通信モジュールを格納した光伝送モジュールケースの部分断面図である。図５において、光通信モジュール３００は、光伝送モジュールの外部から光伝送用プラグを接続するためのレセプタクル部５を備えた光伝送モジュールケース１５に格納されている。光通信モジュール３００と光伝送モジュールケース１５はＺ軸に平行に間隙ＤＸおよび光通信モジュール３００の外径直径と伝送モジュールケース１５の内径直径の関係として、ＸＹ面内で“φＡ＜φＲ”および”φＢ＜φＳ“を有する。この結果、光軸方向であるＺ軸の前後方向へ光通信モジュール３００は移動することが出来る。光通信モジュール３００と光伝送モジュールケース１５の間隙が“ＤＸ”の場合、機械的基準面と光通信モジュール３００の光結合面７００との距離は“Ｅ−ＤＸ”になる。
【００１７】
図６は光軸方向に移動可能な光通信モジュールとフック部を格納した光伝送モジュールケースの部分断面図である。図６において、光通信モジュール３００は、光伝送モジュールの外部から光伝送用プラグを接続するためのレセプタクル部５と、光伝送用プラグを保持するフック部３０とを、光伝送モジュールケース１６に格納されている。図６の光伝送モジュールと、図５の光伝送モジュールとの違いは、フック部が光伝送モジュールケースと別体か、一体かであり、寸法関係と可動方向は同一である。
【００１８】
本実施例に拠れば、光伝送用プラグが挿入された状態で、−Ｚ方向にフックが変形するほどの張力が加わったときも、フックのＺ方向変形量がＤＸ以下であれば、光伝送モジュールの光結合を維持することができる。すなわち、−Ｚ方向への外部からの光ファイバへの張力の影響を低減し、光の結合を維持するレセプタクル型光伝送モジュールを得ることができる。
【実施例２】
【００１９】
図７はＸ、Ｙ、Ｚ、θxy方向に移動可能な光通信モジュールを格納した光伝送モジュールケースの部分断面図である。図７において、光通信モジュール３００は、光伝送モジュールの外部から光伝送用プラグを接続するためのレセプタクル部５を備えた光伝送モジュールケース１５に格納されている。光通信モジュール３００と光伝送モジュールケース１５は間隙を有する。実施例１に対して、Ｚ軸に平行な間隙ＤＸの値を大きくし、”φＲ−φＡ”と”φＳ−φＢ”の値も大きくする。この結果、光軸方向であるＺ軸に直交するＸ、Ｙ方向、光軸方向であるＺ方向および回転方向であるθxy方向へ光通信モジュール３００は可動することが出来る。これらの通信モジュールの移動方向は、光軸に垂直な面より、前記コネクタ方向である。
【００２０】
図８はＸ、Ｙ、Ｚ、θxy方向に移動可能な光通信モジュールとフック部を格納した光伝送モジュールケースの部分断面図である。図８において、光通信モジュール３００は、光伝送モジュールの外部から光伝送用プラグを接続するためのレセプタクル部５と光伝送用プラグを保持するフック部３０とを、光伝送モジュールケース１６に格納されている。図８の光伝送モジュールと、図７の光伝送モジュールとの違いは、フック部が光伝送モジュールケースと別体か、一体かであり、寸法関係と可動方向は同一である。
【００２１】
図９は光通信モジュールを格納した光伝送モジュールケースに光伝送用プラグが接続された状態を説明する部分断面図である。図９において、Ｚ、Ｘ、Ｙ、θxy方向に移動可能な光通信モジュール３００は、光伝送モジュールの外部から光伝送用プラグを接続するためのレセプタクル部５を備えた光伝送モジュールケース１５に格納されている。光通信モジュール３００と光伝送モジュールケース１５は間隙“ＤＸ”を有しているが、光伝送用プラグ５００が接続され、光伝送可能な状態になると、光通信モジュール３００と光伝送モジュールケース１５との間隙“ＤＸ”は０となる。すなわち“Ｅ−ＤＸ”は７±０.１ｍｍになる。光伝送用プラグ５００またはレセプタクル部５の外形精度が振れた場合も、光伝送用プラグ５００が最後まで挿入される前に光軸Ｚが補正され、光伝送用プラグ５００のフェルール部５０５と光通信モジュール３００の光結合面７００の光軸が一致する。
【００２２】
図１０は光通信モジュールとフック部を格納した光伝送モジュールケースに光伝送用プラグが接続された部分断面図である。図１０において、Ｚ、Ｘ、Ｙ、θxy方向に移動可能な光通信モジュール３００は、光伝送モジュールの外部から光伝送用プラグを接続するためのレセプタクル部５と光伝送用プラグを保持するフック部３０を備えた光伝送モジュールケース１５に格納されている。光通信モジュール３００とフック部３０は間隙“ＤＸ”を有しているが、光伝送用プラグ５００が接続され、光伝送可能な状態になると、光通信モジュール３００と光伝送モジュールケース１５との間隙“ＤＸ”は０となる。すなわち“Ｅ−ＤＸ”は７ｍｍ±０.１ｍｍになる。光伝送用プラグ５００またはレセプタクル部５の外形精度が振れた場合も、光伝送用プラグ５００が最後まで挿入される前に光軸Ｚが補正され、光伝送用プラグ５００のフェルール部５０５と光通信モジュール３００の光結合面７００の光軸が一致する。
【００２３】
本実施例に拠れば、光伝送用プラグが挿入された状態で、フックが変形するほどの張力が加わったときも、フックの変形量が光通信モジュールとケースとが接触する量以下であれば、光伝送モジュールの光結合を維持することができる。すなわち、外部からの光ファイバへの張力の影響を低減し、光の結合を維持するレセプタクル型光伝送モジュールを得ることができる。
【実施例３】
【００２４】
図１１はＺ方向に移動可能なＬＣコネクタ型の光通信モジュールを格納した光伝送モジュールケースの部分断面図である。図１１において、光通信モジュール３５０は、光伝送モジュールの外部から光伝送用プラグを接続するためのレセプタクル部７を備えた光伝送モジュールケース１７に格納されている。光通信モジュール３５０と光伝送モジュールケース１７はＺ軸に平行に間隙“ＤＸ”および光通信モジュール３５０の外径直径と伝送モジュールケース１７の内径直径の関係として、ＸＹ面内で“φＪ＜φＭ”および”φＫ＜φＮ“を有する。この結果、光軸方向であるＺ軸の前後方向へ光通信モジュール３５０は移動することが出来る。光通信モジュール３５０と光伝送モジュールケース１７の間隙が“ＤＸ”の場合、上記機械的基準面と光通信モジュール３５０の光結合面７５０との距離は“Ｂ−ＤＸ”になる。
【００２５】
本実施例に拠れば、光伝送用プラグが挿入された状態で、−Ｚ方向にフックが変形するほどの張力が加わったときも、フックのＺ方向変形量がＤＸ以下であれば、光伝送モジュールの光結合を維持することができる。すなわち、−Ｚ方向への外部からの光ファイバへの張力の影響を低減し、光の結合を維持するレセプタクル型光伝送モジュールを得ることができる。
【実施例４】
【００２６】
図１２はＸ、Ｙ、Ｚ、θxy方向に移動可能なＬＣコネクタ型の光通信モジュールを格納した光伝送モジュールケースの部分断面図である。図１２において、光通信モジュール３５０は、光伝送モジュールの外部から光伝送用プラグを接続するためのレセプタクル部７を備えた光伝送モジュールケース１７に格納されている。光通信モジュール３５０と光伝送モジュールケース１７は間隙を有する。実施例３に対して、Ｚ軸に平行な間隙ＤＸの値を大きくし、”φＭ−φＪ”と”φＮ−φＫ”の値も大きくする。この結果、光軸方向であるＺ軸に直交するＸ、Ｙ方向、光軸方向であるＺ方向および回転方向であるθxy方向へ光通信モジュール３５０は移動することが出来る。これらの通信モジュールの移動方向は、光軸に垂直な面より、前記コネクタ方向である。
【００２７】
図１３はＬＣコネクタ用の光通信モジュールを格納した光伝送モジュールケースに光伝送用プラグが接続された部分断面図である。図１３において、Ｚ、Ｘ、Ｙ、θxy方向に移動可能な光通信モジュール３５０は、光伝送モジュールの外部から光伝送用プラグを接続するためのレセプタクル部７を備えた光伝送モジュールケース１７に格納されている。光通信モジュール３５０と光伝送モジュールケース１７は間隙“ＤＸ”を有している。しかし、光伝送用プラグ５５０が接続され、光伝送可能な状態になると、光通信モジュール３５０と光伝送モジュールケース１７との間隙“ＤＸ”は０となる。すなわち“Ｂ−ＤＸ”は９.９５±０.０５ｍｍになる。光伝送用プラグ５５０またはレセプタクル部７の外形精度が振れた場合も、光伝送用プラグ５５０が最後まで挿入される前に光軸Ｚが補正され、光伝送用プラグ５５０のフェルール部５０７と光通信モジュール３５０の光結合面７５０の光軸が一致する。
【００２８】
図１４は張力が加わった光伝送プラグと光伝送モジュールの部分断面図である。図１４において、Ｚ、Ｘ、Ｙ、θxy方向に移動可能な光通信モジュール３５０は、光伝送モジュールの外部から光伝送用プラグを接続するためのレセプタクル部７を備えた光伝送モジュールケース１７に格納されている。光通信モジュール３５０と光伝送モジュールケース１７は間隙を有している。光伝送モジュール３５０に接続された光伝送用プラグ５５０に張力が加わると、レセプタクル部７と光伝送用プラグ５５０の間隙の分だけ光伝送用プラグ５５０またはプラグに内蔵されたフェルール５０５が傾く。Ｚ、Ｘ、Ｙ、θxy方向に自由に移動可能な光通信モジュール３５０は光伝送用プラグ５５０に追従し、光結合面７５０が維持され、光伝送のためのパワーが維持される。
【００２９】
本実施例に拠れば、光伝送用プラグが挿入された状態で、フックが変形するほどの張力が加わったときも、フックの変形量が光通信モジュールとケースとが接触する量以下であれば、光伝送モジュールの光結合を維持することができる。すなわち、外部からの光ファイバへの張力の影響を低減し、光の結合を維持するレセプタクル型光伝送モジュールを得ることができる。
【図面の簡単な説明】
【００３０】
【図１】光通信モジュールを格納した光伝送モジュールケースの部分断面図である。
【図２】光通信モジュールとフック部を格納した光伝送モジュールケースの部分断面図である。
【図３】ＬＣコネクタ用の光通信モジュールを格納した光伝送モジュールケースの部分断面図である。
【図４】光伝送モジュールの構成を説明する斜視図である。
【図５】光軸方向に移動可能な光通信モジュールを格納した光伝送モジュールケースの部分断面図である。
【図６】光軸方向に移動可能な光通信モジュールとフック部を格納した光伝送モジュールケースの部分断面図である。
【図７】Ｘ、Ｙ、Ｚ、θxy方向に移動可能な光通信モジュールを格納した光伝送モジュールケースの部分断面図である。
【図８】Ｘ、Ｙ、Ｚ、θxy方向に移動可能な光通信モジュールとフック部を格納した光伝送モジュールケースの部分断面図である。
【図９】光通信モジュールを格納した光伝送モジュールケースに光伝送用プラグが接続された状態を説明する部分断面図である。
【図１０】光通信モジュールとフック部を格納した光伝送モジュールケースに光伝送用プラグが接続された部分断面図である。
【図１１】Ｚ方向に移動可能なＬＣコネクタ型の光通信モジュールを格納した光伝送モジュールケースの部分断面図である。
【図１２】Ｘ、Ｙ、Ｚ、θxy方向に移動可能なＬＣコネクタ型の光通信モジュールを格納した光伝送モジュールケースの部分断面図である。
【図１３】ＬＣコネクタ用の光通信モジュールを格納した光伝送モジュールケースに光伝送用プラグが接続された部分断面図である。
【図１４】張力が加わった光伝送プラグと光伝送モジュールの部分断面図である。
【符号の説明】
【００３１】
５…レセプタクル部、７…レセプタクル部、１０…上ケース、１５…光伝送用モジュールケース、１６…光伝送用モジュールケース、１７…光伝送用モジュールケース、２０…下ケース、３０…フック部、３００…光通信モジュール、３５０…光通信モジュール、５００…光伝送用プラグ、５０５…フェルール部、５０７…フェルール部、７００…光結合面、７５０…光結合面。
【図１】
2007163739.tif 000003
【図２】
2007163739.tif 000004
【図３】
2007163739.tif 000005
【図４】
2007163739.tif 000006
【図５】
2007163739.tif 000007
【図６】
2007163739.tif 000008
【図７】
2007163739.tif 000009
【図８】
2007163739.tif 000010
【図９】
2007163739.tif 000011
【図１０】
2007163739.tif 000012
【図１１】
2007163739.tif 000013
【図１２】
2007163739.tif 000014
【図１３】
2007163739.tif 000015
【図１４】
2007163739.tif 000016